(57)【要約】      （修正有）【課題】手動の押し力で金型を交換可能で、金型の位置の微小調整も手動で簡単に行うことが可能で、全体的に簡単な構造でボルスタへの着脱も１回に簡単に行うことのできる金型交換台を提供する。【解決手段】プレス機械のボルスタの前側に配置して金型の交換に供する金型交換台１は、上端部に複数の遊転ローラ８を有し且つ前後方向に延びる左右１対のローラ支持板２ａ，２ｂと、１対のローラ支持板２ａ，２ｂの間に上端と反ボルスタ側端部が開放状に形成される作業スペース３と、１対のローラ支持板２ａ，２ｂの下端部同士を連結し且つ作業スペース３の床面となるベース板４と、１対のローラ支持板２ａ，２ｂのボルスタ側端部の上端近傍部を連結する架橋連結部材５と、１対のローラ支持板２ａ，２ｂのボルスタ側端部の上端近傍部をボルスタの前端に固定可能な固定手段６とを備えている。【選択図】図１
0003207863.tif 000002
【実用新案登録請求の範囲】
【請求項１】
プレス機械のボルスタの前側に配置して金型の交換に供する金型交換台において、
上端部に複数のローラを有し且つ前後方向に延びる左右１対のローラ支持板と、
１対のローラ支持板の間に上端と反ボルスタ側端部が開放状に形成される作業スペースと、
１対のローラ支持板の下端部同士を連結し且つ作業スペースの床面となるベース板と、
１対のローラ支持板のボルスタ側端部の上端近傍部を連結する架橋連結部材と、
１対のローラ支持板のボルスタ側端部の上端近傍部をボルスタの前端に固定可能な固定手段とを備えたことを特徴とする金型交換台。
【請求項２】
１対のローラ支持板は複数のローラが付設された上端部から床面近傍まで延び、
前記１対のローラ支持板の複数のローラの搬送面が水平面となるようにレベル調整可能なレベル調整手段を設けたことを特徴とする請求項１に記載の金型交換台。
【請求項３】
前記ローラ支持板は、複数のローラのローラ軸の両端部を支持する１対の平行な板部材からなることを特徴とする請求項１又は２に記載の金型交換台。
【請求項４】
前記固定手段は、ボルスタの前端面に設けらる左右１対の固定ブロックと、１対のローラ支持板に１対の固定ブロックに対応するように付設された１対のブロック片と、ブロック片を対応する固定ブロックに解除可能に連結する１対の連結ボルトとを有することを特徴とする請求項１〜３の何れか１項に記載の金型交換台。
【請求項５】
前記レベル調整手段は、互いに離隔した位置に配置された少なくとも３組のレベル調整機構を備え、各レベル調整機構は１対のローラ支持板の側面の下端部に固定された固定片と、固定片に螺合されて下端部が床面に当接するボルト部材とを有することを特徴とする請求項２に記載の金型交換台。
【請求項６】
左右１対のローラ支持板の前記作業スペースと反対側に夫々所定間隔あけて前記ローラ支持板と同様の外側ローラ支持板を平行に設け、各外側ローラ支持板をそれに対向するローラ支持板を連結する連結構造を設けたことを特徴とする請求項１〜３の何れか１項に記載の金型交換台。
【考案の詳細な説明】
【技術分野】
【０００１】
本考案は、プレス機械の前側に設置して金型の交換に供する為の金型交換台に関するものである。
【背景技術】
【０００２】
プレス機械のボルスタ上に金型を搬入したりボルスタ上から金型を搬出したりするのに、左右１対のローラ付き片持ちフレームが広く実用に供されている。
このローラ付き片持ちフレームは、２枚の板部材の上端部に複数のローラを装備し、ボルスタの前端部に固定した固定ブロックに、ローラ付き片持ちフレームの端部を係合連結して片持ち式にボルスタの前方へ張り出すように構成されている。
【０００３】
一方、特許文献１に記載の金型等の移載装置においては、金型搬送台車に２面の金型載置部を設け、各金型載置部に形成した２本の特殊Ｔ溝に昇降式のリフトバーとその上に載せたローラ付きローラバーを組み込み、リフトバーを油圧シリンダで浮沈可能にし、浮上状態にしたローラバー上に金型を載置可能にしてある。ボルスタの２本の特殊Ｔ溝にも同様のリフトバーを組み込み、金型搬送台車側のローラバーをボルスタのリフトバー上へ移動駆動する移動駆動装置を設けてある。
【０００４】
金型搬送台車側の浮上状態のローラバー上に金型を支持し、それを移動駆動装置によりボルスタのリフトバー上へ移動させてから、リフトバー及びローラバーを下降させることで金型をボルスタに移載し、その後ローラバーを金型搬送台車側へ復帰させることで、金型をボルスタ上に移載する。ボルスタ上の金型を搬出も上記と逆の手順で行うことができる。
【先行技術文献】
【特許文献】
【０００５】
【特許文献１】実開平５−５４４３２号公報
【考案の概要】
【考案が解決しようとする課題】
【０００６】
前記従来の左右１対のローラ付き片持ちフレームは、重量物である２つのローラ付き片持ちフレームから構成されているため、ローラ付き片持ちフレームのボルスタへの着脱の作業を２回行う必要があるため、着脱に時間と労力がかかる。
【０００７】
特許文献１の金型等の移載装置では、金型搬送台車の金型載置部に夫々２組の特殊Ｔ溝、リフトバー、ローラバーを組み込み、移動駆動装置も設けるため、全体として構造が複雑で、大型で高価な装置となる。作業者の手動の押し力で金型を出し入れすることができず、金型を手動で微小に位置調整することもできず、金型の交換の能率を高めることが難しい。
【０００８】
本考案の目的は、手動の押し力で金型を交換可能で、金型の位置の微小調整も手動で簡単に行うことが可能で、全体的に簡単な構造でボルスタへの着脱も１回で簡単に行うことのできる金型交換台を提供することである。
【課題を解決するための手段】
【０００９】
請求項１の金型交換台は、プレス機械のボルスタの前側に配置して金型の交換に供する金型交換台において、上端部に複数のローラを有し且つ前後方向に延びる左右１対のローラ支持板と、１対のローラ支持板の間に上端と反ボルスタ側端部が開放状に形成される作業スペースと、１対のローラ支持板の下端部同士を連結し且つ作業スペースの床面となるベース板と、１対のローラ支持板のボルスタ側端部の上端近傍部を連結する架橋連結部材と、１対のローラ支持板のボルスタ側端部の上端近傍部をボルスタの前端に固定可能な固定手段とを備えたことを特徴としている。
【００１０】
請求項２の金型交換台は、請求項１の考案において、１対のローラ支持板は複数のローラが付設された上端部から床面近傍まで延び、前記１対のローラ支持板の複数のローラの搬送面が水平面となるようにレベル調整可能なレベル調整手段を設けたことを特徴としている。
【００１１】
請求項３の金型交換台は、請求項１の考案において、前記ローラ支持板は、複数のローラのローラ軸の両端部を支持する１対の平行な板部材からなることを特徴としている。
【００１２】
請求項４の金型交換台は、請求項１〜３の何れか１項の考案において、前記固定手段は、ボルスタの前端面に設けらる左右１対の固定ブロックと、１対のローラ支持板に１対の固定ブロックに対応するように付設された１対のブロック片と、ブロック片を対応する固定ブロックに解除可能に連結する１対の連結ボルトとを有することを特徴としている。
【００１３】
請求項５の金型交換台は、請求項２の考案において、前記レベル調整手段は、互いに離隔した位置に配置された少なくとも３組のレベル調整機構を備え、各レベル調整機構は１対のローラ支持板の側面の下端部に固定された固定片と、固定片に螺合されて下端部が床面に当接するボルト部材とを有することを特徴としている。
【００１４】
請求項６の金型交換台は、請求項１〜３の何れか１項の発明において、左右１対のローラ支持板の前記作業スペースと反対側に夫々所定間隔あけて前記ローラ支持板と同様の外側ローラ支持板を平行に設け、各外側ローラ支持板をそれに対向するローラ支持板を連結する連結構造を設けたことを特徴としている。
【考案の効果】
【００１５】
請求項１の考案によれば、左右１対のローラ支持板の上端部の複数のローラの上に金型を載置し、作業スペースに入っている作業者の手動の押し力で金型をボルスタ上へ移載し、また、ボルスタ上の金型を左右１対のローラ支持板の複数のローラ上へ移載することができる。複数のローラ上の金型に対して手動にて微小な位置調整も簡単に行うことができる。
【００１６】
１対のローラ支持板の下端部同士を連結し且つ作業スペースの床面となるベース板を設け、１対のローラ支持板の上端近傍部を連結する架橋部材を設けるため、全体が一体化された金型交換台となり、ベース板が２つの機能を発揮するため部材数の節減が可能である。固定手段により、１対のローラ支持板をボルスタの前端に固定可能であるため、金型交換台をボルスタの前側の所期の位置固定することができ、金型交換の安全性を確保することができる。
【００１７】
請求項２の考案によれば、１対のローラ支持板は複数のローラが付設された上端部から床面近傍まで延び、この１対のローラ支持板の下端部同士がベース板で連結されるため、
１対のローラ支持板の剛性を確保できる。そして、レベル調整手段により、１対のローラ支持板の複数のローラの搬送面が水平面となるようにレベル調整することができる。
【００１８】
請求項３の考案によれば、ローラ支持板は、複数のローラのローラ軸の両端部を支持する１対の平行な板部材からなるため、複数のローラを支持する構造が簡単になる。
【００１９】
請求項４の考案によれば、前記固定手段は、１対のローラ支持板側の１対のブロック片をボルスタの前端面の１対の固定ブロックに当接させ、連結ボルトでブロック片を固定ブロックに連結することで、金型交換台をボルスタの前端面に固定することができる。
【００２０】
請求項５の考案によれば、少なくとも３組のレベル調整機構を備え、各レベル調整機構では、ローラ支持板に固定された固定片に螺合されたボルト部材の下端部を床面に当接させることでレベル調整することができる。
【００２１】
請求項６の考案によれば、左右１対のローラ支持板の前記作業スペースと反対側に夫々所定間隔あけて前記ローラ支持板と同様の外側ローラ支持板を平行に設けたため、大型の金型を交換可能な金型交換台とすることができる。外側ローラ支持板はローラ支持板と同様のものであるため、製作上有利である。
【図面の簡単な説明】
【００２２】
【図１】本考案の実施例１に係る金型搬送台の斜視図である。
【図２】金型搬送台の斜視図である。
【図３】金型搬送台の平面図である。
【図４】金型搬送台の背面図である。
【図５】金型搬送台の左側面図である。
【図６】変更形態に係る固定手段を示す要部側面図である。
【図７】実施例２に係る金型交換台の斜視図である。
【考案を実施するための形態】
【００２３】
考案を実施するための形態について実施例に基づいて説明する。  
【実施例１】
【００２４】
図１〜図５に示すように、金型交換台１は、プレス機械のボルスタＢの前側空間に配置して金型の交換に供するものである。ボルスタＢについては図３の符号ＢＦがボルスタの前端とし、金型交換台１については図中の符号Ｆが前方、符号Ｌが左方を示す。
【００２５】
この金型交換台１は、左右１対のローラ支持板２ａ，２ｂと、作業スペース３と、ベース板４と、架橋連結部材５と、固定手段６と、レベル調整手段７等を備えている。
左右１対のローラ支持板２ａ，２ｂは、前後方向に延びる鉛直の板状部材であり、左右方向に所定の間隔を空けて平行に配置され、上端部には前後方向に適当間隔おきに複数の遊転ローラ８が金型Ｍを搬送可能に付設され、遊転ローラ８のローラ軸８ａは左右方向に水平に向けられている。
【００２６】
各ローラ支持板２ａ，２ｂは、複数の遊転ローラ８が付設された上端部から床面近傍まで延びている。各ローラ支持板２ａ，２ｂは、ほぼ矩形板状の部材であるが、前端部分の上端部には、前方へ張り出す張出部９が形成されている。各ローラ支持板２ａ，２ｂは、複数の遊転ローラ８のローラ軸８ａの両端部を支持する１対の平行な板部材１０からなる。１対の板部材１０は複数の筒状のスペーサ１１で間隔が規制され、スペーサ１１に挿通させたボルト１２は１対の板部材１０にナット１２ａで締結されている。
【００２７】
作業スペース３は、１対のローラ支持板２ａ，２ｂの間に上端と後端部が開放状に形成され、この作業スペース３とその上側空間は作業者が入って金型Ｍを押動したり、位置調整したりする空間である。
【００２８】
ベース板４は、１対のローラ支持板２ａ，２ｂの下端部同士を連結し且つ作業スペース３の床面を構成するものである。このベース板４はチェッカープレート製の床板４ａと、この床板４ａの前端と後端とそれらの中間位置に配置された例えば３枚の横帯状の縦板４ｂとを有し、床板４ａと縦板４ｂは接合されている。
【００２９】
縦板４ｂは、２本の平行なタイロッド１３に接合され、それらタイロッド１３の左右両端部分には、１対の板部材１０の間においてスペーサとしての短いパイプ材１４が外嵌され、それらタイロッド１３の左右両端部にはローラ支持板２ａ，２ｂの外面外でナット１３ａが強固に締結され、２本のタイロッド１３を介して縦板４ｂが１対のローラ支持板２ａ，２ｂに連結されている。それ故、３枚の縦板４ｂを１対のローラ支持板２ａ，２ｂに強固に連結することでベース板４が１対のローラ支持板２ａ，２ｂの下端部に連結されている。
【００３０】
架橋連結部材５は、１対のローラ支持板２ａ，２ｂの前端部の上部を連結する３本の連結ロッド１５を備えている。各連結ロッド１５は、１対のローラ支持板２ａ，２ｂの間の間隔を設定するためのスペーサとしての小径のパイプ材１６と、このパイプ材１６に挿通させたタイロッド１７とを備えている。タイロッド１７の左右両端部分には１対の板部材１０の間においてスペーサとしての短いパイプ材１６ａが外嵌され、タイロッド１７の両端部にはローラ支持板２ａ，２ｂの外側面外においてナット１７ａが螺合され、タイロッド１７は張力を付加して締結されている。３本の連結ロッド１５は、前後方向と上下方向に互いに離隔した位置に平行に配置されているため、１対のローラ支持板２ａ，２ｂの前端部と上部を連結する連結剛性が確保されている。
【００３１】
固定手段６は、１対のローラ支持板２ａ，２ｂの前端部の上端近傍部をボルスタＢの前端ＢＦに固定可能なものである。この固定手段６は、ボルスタＢの前端ＢＦに固定される左右１対の固定ブロック１８と、１対のローラ支持板２ａ，２ｂに１対の固定ブロック１８に対応するように付設された１対のブロック片１９と、ブロック片１９を対応する固定ブロック１８に解除可能に連結する１対の連結ボルト２１とを有する。固定ブロック１８は、２本の位置決めピン２２と４本のボルト２３を介してボルスタＢの前端ＢＦに予め締結固定されている。
【００３２】
各ローラ支持板２ａ，２ｂの張出部９の外側面には、固定ブロック１８に載せて連結するためのブロック片１９が複数のボルト１９で固定され、このブロック片１９に挿通させた鉛直の連結ボルト２１を固定ブロック１８に連結することで、ローラ支持板２ａ，２ｂの前端部がボルスタＢに連結されると共にボルスタＢに対するレベルが設定される。尚、各ブロック片１９に対応するスペーサブロック２０が１対の板部材１０の間に装着され、ブロック片１９は複数のボルト１９ａにより板部材１０とスペーサブロック２０に締結されている。
【００３３】
レベル調整手段７は、１対のローラ支持板２ａ，２ｂの複数の遊転ローラ８の搬送面が水平面となるようにレベル調整可能なものである。尚、各ローラ支持板２ａ，２ｂの上端付近の外側面には、水準器２４が付設されている。
【００３４】
レベル調整手段７は、互いに離隔した位置に配置された少なくとも３組のレベル調整機構２５を備えている。即ち、各ローラ支持板２ａ，２ｂの下端部の前端近傍の外側面とベース板４の後端の縦板４ｂの外面に夫々レベル調整機構２５が設けられている。
各レベル調整機構２５はローラ支持板２ａ，２ｂ又は縦板４ｂに固定された固定片２６と、固定片２６に螺合されて下端部が床面に当接する鉛直のボルト部材２７とを有する。尚、各ボルト部材２７にはロックナット２７ａも螺合されている。
【００３５】
後端側の縦板４ｂに付設されたレベル調整機構２５においては、固定片２６に螺合させたボルト部材２７の下端を受け止めるスタンドベース２８であって３本のアンカーボルト２８ａを有するスタンドベース２８が設けられている。
【００３６】
また、各ローラ支持板２ａ，２ｂの下端部の後端近傍の外側面には、レベル調整機構２５と同様の補助スタンド２９が設けられている。補助スタンド２９は各ローラ支持板２ａ，２ｂに固定された固定片３０と、固定片３０に螺合されて下端部が床面に当接する鉛直のボルト部材３１と、３本のアンカーボルト３２ａを有するスタンドベース３２を備えている。各ボルト部材３１にはロックナット３１ａも螺合されている。前記の３つのスタンドベース２８，３２は、金型交換台１をボルスタＢの前側の正規の金型交換位置に位置決めして固定したときに３本のボルト部材２７，３１の下端を受け止め可能に床面に固定的に設置されている。
【００３７】
１対のローラ支持板２ａ，２ｂの後端部の上端部には、金型Ｍの後方への落下を防止するためのストッパ３３が遊転ローラ８の搬送面より上方へ突出する状態に設けられている。さらに、金型交換台１を別の場所へクレーンにて搬送するために、１対のローラ支持板２ａ，２ｂの上端部の前部と後部の外側面には、アイボルト３４が設けられている。
アイボルト３４の脚部ボルトは、１対の板部材１０の間に装着されたスペーサ部材３５を挿通して内側面側へ突出し、その先端に袋ナット３６が螺合されている。
【００３８】
次に、以上説明した金型交換台１の作用、効果について説明する。
ボルスタＢと金型交換台１との間で金型Ｍを交換する際には、金型交換台１をボルスタの前側の正規位置にセットし、左右のブロック片１９を左右の固定ブロック１８上に載置し、連結ボルト２１を締結する。次に、金型Ｍをクレーンにて金型交換台１の遊転ローラ８上に搬入し、その金型Ｍを作業スペース３に入った作業者が手動にて押動してボルスタＢ上へ移載する。このとき、金型Ｍの左右方向位置の微小なズレや前後方向又は左右方向の微小な傾きのズレを手動にて修正しながら、ボルスタＢ上へ移載する。
【００３９】
金型ＭをボルスタＢ上から搬出する際には、上記のように金型交換台１をボルスタＢの前側の正規位置にセット後、金型ＭをボルスタＢ上から手動にて押動しつつ金型交換台１の複数の遊転ローラ８の上へ移載し、その後クレーンにて搬出する。
【００４０】
この金型交換台１においては、１対のローラ支持板２ａ，２ｂの下端部同士を連結し且つ作業スペース３の床面となるベース板４を設け、１対のローラ支持板２ａ，２ｂの上端近傍部を連結する架橋連結部材５を設けるため、全体が一体化された金型交換台１となり、ベース板４が２つの機能を発揮するため部材数の節減が可能である。固定手段６により、１対のローラ支持板２ａ，２ｂをボルスタＢの前端に固定可能であるため、金型交換台１をボルスタＢの前側の所期の位置に固定することができ、金型交換の安全性を確保することができる。
【００４１】
１対のローラ支持板２ａ，２ｂは複数の遊転ローラ８が付設された上端部から床面近傍まで延び、この１対のローラ支持板２ａ，２ｂの下端部同士がベース板４で連結されるため、１対のローラ支持板２ａ，２ｂの剛性を確保できる。そして、レベル調整手段７により、１対のローラ支持板２ａ，２ｂの複数の遊転ローラ８の搬送面が水平面となるようにレベル調整することができる。
【００４２】
ローラ支持板２ａ，２ｂは、複数の遊転ローラ８のローラ軸８ａの両端部を支持する１対の平行な板部材１０からなるため、複数の遊転ローラ８を支持する構造が簡単になる。
固定手段６は、１対のローラ支持板２ａ，２ｂ側の１対のブロック片１９をボルスタＢの前端の１対の固定ブロック１８に当接させ、連結ボルト２１で固定ブロック１８に連結することで、金型交換台１をボルスタＢの前端に固定することができる。
【００４３】
レベル調整手段７は、少なくとも３組のレベル調整機構２５を備え、各レベル調整機構２５では、ローラ支持板２ａ，２ｂ又はベース板４に固定された固定片２６に螺合されたボルト部材２７の下端部を床面に当接させることでレベル調整することができる。
【実施例２】
【００４４】
図７に示すように、この金型交換台１Ａにおいては、左側のローラ支持板２ａの左側に所定間隔あけてローラ支持板２ａと同様の外側ローラ支持板４２ａが平行に配設され、外側ローラ支持板４２ａをローラ支持板２ａに連結する連結構造４３ａが設けられている。また、右側のローラ支持板２ｂの右側に所定間隔あけてローラ支持板２ｂと同様の外側ローラ支持板４２ｂが平行に配設され、外側ローラ支持板４２ｂをローラ支持板２ｂに連結する連結構造４３ｂが設けられている。以下、前記金型交換台１と同じ構成要素には同じ符号を付して説明を省略し、異なる構成についてのみ説明する。
【００４５】
外側ローラ支持板４２ａ，４２ｂはローラ支持板２ａ，２ｂと同様の構造のものであるため、前記実施例のローラ支持板２ａ，２ｂと同じ部材に同じ符号を付して説明を省略する。左側の連結構造４３ａは、複数のパイプ材からなるスペーサ４４及びスペーサ４４に挿通させたタイロッド４５と、前記タイロッド１３を外側ローラ支持板４２ａまで延長させたタイロッド１３Ａ及びローラ支持板２ａと外側ローラ支持板４２ａ間でタイロッド１３Ａに外嵌させたパイプ材からなるスペーサ４６等を備えている。
【００４６】
前記タイロッド４５の両端部にはローラ支持板２ａの内面側と外側ローラ支持板４２ａの外面側においてナット４５ａが締結されている。前記タイロッド１３Ａには外側ローラ支持板４２ａの外面側においてナット１３ｂが締結されている。
【００４７】
また、タイロッド４５には、外側ローラ支持板４２ａの２枚の板部材１０間において筒状のスペーサが外嵌され、タイロッド１３Ａには、外側ローラ支持板４２ａの２枚の板部材１０間において筒状のスペーサ４７が外嵌されている。尚、右側の連結構造４３ｂは、左側の連結構造４３ａと左右対称のものであるので、同じ部材に同じ符号を付して説明を省略する。
【００４８】
外側ローラ支持板４２ａ，４２ｂに関しては、固定ブロック１８Ａが凹字形状に形成され、この固定ブロック１８Ａの中央凹部に、ローラ支持板２ａ，２ｂの張出部９に固定したブロック片１９とスペーサブロック２０と２枚の板部材１０とが係合され、ブロック片１９は鉛直の連結ボルト２１で固定ブロック１８Ａに連結される。
【００４９】
ローラ支持板２ａ，２ｂに関しては、固定ブロック１８Ａが凹字形状に形成され、この固定ブロック１８Ａの中央凹部に、ローラ支持板２ａ，２ｂの張出部９に固定したスペーサブロック２０と２枚の板部材１０とが載置される。
【００５０】
尚、ローラ支持板２ａ，２ｂに付設されていたレベル調整機構２５と補助スタンド２９が外側ローラ支持板４２ａ，４２ｂに移設されている。  
【００５１】
この金型交換台１Ａは、左右方向の幅が拡大されているから、大型の金型Ｍの交換に供することができる。外側ローラ支持板４２ａ，４２ｂとローラ支持板２ａ，２ｂとは同じ構造であるため、製作上有利である。
【００５２】
次に、前記実施例を部分的に変更する例について説明する。
１）図６に示すように、ボルスタＢの前端に固定される固定ブロック１８Ａには、上方開放状の台形穴１８ａが形成され、ローラ支持板２ａ，２ｂの張出部９の外側面に固定されたブロック片１９Ａには、台形穴１８ａに係合される係合部１９ａが形成され、金型交換台１をクレーンにて上方から下降させる際に、係合部１９ａを台形穴１８ａに係合させることで、金型交換台１をボルスタＢに固定する構造にしてもよい。
【００５３】
また、固定手段６の別の例として、ボルスタの前端に突設した水平な固定片であって係合穴を形成した固定片を設け、ローラ支持板２ａ，２ｂの張出部９の前端に上記と同様の係合穴を有する係合片を設け、係合片を固定片の上に重ね、両者の係合穴に係合ピンを嵌入することで、固定する構造にしてもよい。
【００５４】
３）金型交換台１の１対のローラ支持板２ａ，２ｂの下端近傍の前部と後部に遊転輪を設け、これら４つの遊転輪を金型交換台１を床面から僅かに浮上させた状態に支持可能な転動位置と、床面に当接しないように上方へ位置切換えした待機位置とに切換え可能に構成してもよい。クレーンを用いずに金型交換台１を単独で又は金型を載せた状態で移動可能になる。
【００５５】
４）架橋連結部材５は、アングル材や帯板材で構成してもよい。
５）その他、当業者であれば、本考案の趣旨を逸脱しない範囲で前記実施例に手段の変更を付加した形態で実施可能であり、本考案はそれらの変更形態を包含するものである。
【符号の説明】
【００５６】
１，１Ａ    金型交換台
２ａ，２ｂ  ローラ支持板
３    作業スペース
４    ベース板
５    架橋連結部材
６    固定手段
７    レベル調整手段
８    遊転ローラ
１０  板部材
１８  固定ブロック
１９  ブロック片
２１  連結ボルト
２５  レベル調整機構
２６  固定片
２７  ボルト部材
４２ａ，４２ｂ    外側ローラ支持板
４３ａ，４３ｂ    連結構造
【図１】
0003207863.tif 000003
【図２】
0003207863.tif 000004
【図３】
0003207863.tif 000005
【図４】
0003207863.tif 000006
【図５】
0003207863.tif 000007
【図６】
0003207863.tif 000008
【図７】
0003207863.tif 000009